(57)【特許請求の範囲】
【請求項１】
吸気口と排気口を有する本体ケースと、この本体ケース内には、空気清浄手段と水浄化手段と、前記排気口を開閉する蓋部と、前記吸気口から前記本体ケース内に吸気した空気を前記空気清浄手段を順次介して前記排気口へと送風する送風手段と、前記送風手段の風路であって前記空気清浄手段の下流側に設けた加湿手段と、この加湿手段と前記送風手段と前記水浄化手段と前記蓋部とを制御する制御手段とを備え、前記加湿手段は、椀状の水槽と、この水槽に一定量の水を供給する水タンクと、前記水槽に回転自在に設けられた加湿フィルタ枠と、この加湿フィルタ枠に固定された円板状の加湿フィルタと、前記加湿フィルタ枠を回転させる回転手段とから形成され、前記加湿フィルタは一部が前記水槽に供給された水に常時つかるように設けられ、前記水浄化手段は、筒形状の運搬経路と、この運搬経路内に活性種を発生する放電手段とから形成し、前記運搬経路は、前記送風手段の風路であって前記送風手段の下流側に開口する一方側の開口である第１の開口部と、前記送風手段の風路であって前記空気清浄手段と前記加湿手段との間に開口する他方側の開口である第２の開口部とを備え、この第２の開口部は、前記水槽の上部で、回転する加湿フィルタが水から離れる側に位置する構成とし、前記制御手段によって、前記蓋部を閉じた状態で前記加湿フィルタを回転させ前記送風手段によって送風すると共に前記放電手段によって活性種を発生させる水浄化運転を行い、前記空気清浄手段と前記加湿手段の間に格子部を設け、前記運搬経路の一部は、前記格子部の一部を兼ねていることを特徴とする加湿機能付空気清浄装置。
【請求項２】
吸気口と排気口を有する本体ケースと、この本体ケース内には、空気清浄手段と水浄化手段と、前記排気口を開閉する蓋部と、前記吸気口から前記本体ケース内に吸気した空気を前記空気清浄手段を順次介して前記排気口へと送風する送風手段と、前記送風手段の風路であって前記空気清浄手段の下流側に設けた加湿手段と、この加湿手段と前記送風手段と前記水浄化手段と前記蓋部とを制御する制御手段とを備え、前記加湿手段は、椀状の水槽と、この水槽に一定量の水を供給する水タンクと、前記水槽に回転自在に設けられた加湿フィルタ枠と、この加湿フィルタ枠に固定された円板状の加湿フィルタと、前記加湿フィルタ枠を回転させる回転手段とから形成され、前記加湿フィルタは一部が前記水槽に供給された水に常時つかるように設けられ、前記水浄化手段は、筒形状の運搬経路と、この運搬経路内に活性種を発生する放電手段とから形成し、前記運搬経路は、前記送風手段の風路であって前記送風手段の下流側に開口する一方側の開口である第１の開口部と、前記送風手段の風路であって前記空気清浄手段と前記加湿手段との間に開口する他方側の開口である第２の開口部とを備え、この第２の開口部は、前記水槽の上部で、回転する加湿フィルタが水から離れる側に位置する構成とし、前記制御手段によって、前記蓋部を閉じた状態で前記加湿フィルタを回転させ前記送風手段によって送風すると共に前記放電手段によって活性種を発生させる水浄化運転を行い、前記運搬経路は、前記加湿フィルタ中心位置から扇形形状に広がり、前記第２の開口部は、略扇形形状部の加湿フィルタ側に複数の円弧に沿って並んでいることを特徴とする加湿機能付空気清浄装置。
【請求項３】
前記水浄化運転は、前記制御手段によって、前記加湿空気清浄運転または前記空気清浄運転停止直後から自動で開始することを特徴とする請求項１または２に記載の加湿機能付空気清浄装置。
【発明の詳細な説明】
【技術分野】
【０００１】
本発明は、空気を浄化しながら加湿することのできる加湿機能付空気清浄装置に関し、特に、加湿手段の除菌並びに防臭するための浄化手段を有する加湿機能付空気清浄機に関するものである。
【背景技術】
【０００２】
従来のこの種の加湿機能付空気清浄装置の構成は以下のようになっていた。
【０００３】
すなわち、吸気口と排気口を有する本体ケースと、この本体ケース内で、前記吸気口から前記排気口に送風される送風路に空気清浄手段を設け、この空気清浄手段の前記送風路下流に加湿手段を設け、この加湿手段の前記送風路下流に送風手段を設けた構成となっていた（例えば、特許文献１参照）。
【先行技術文献】
【特許文献】
【０００４】
【特許文献１】特開２０１１−２２６７０７号公報
【発明の概要】
【発明が解決しようとする課題】
【０００５】
上記従来例における課題は、本体から異臭が発生してしまうといった問題が生じることであった。
【０００６】
すなわち、空気中へ水分を放出する加湿フィルタに風を当てることで空気を加湿する加湿装置では、運転中に捕捉／吸収された空気中に含まれている臭気成分が、再飛散することがあった。
【０００７】
また、本体ケース内に加湿フィルタが存在することから、運転停止時も加湿フィルタに含まれる水分がわずかに揮発することにより、本体ケース内の加湿手段近傍が高湿度になることで、菌が増殖し異臭が発生してしまうという問題が生じる。
【０００８】
そこで、本発明は、加湿フィルタの水分に付着した臭気、菌を浄化することを目的とする。
【課題を解決するための手段】
【０００９】
そして、この目的を達成するために、本発明は、吸気口と排気口を有する本体ケースと、この本体ケース内には、空気清浄手段と水浄化手段と、前記排気口を開閉する蓋部と、前記吸気口から前記本体ケース内に吸気した空気を前記空気清浄手段を順次介して前記排気口へと送風する送風手段と、前記送風手段の風路であって前記空気清浄手段の下流側に設けた加湿手段と、この加湿手段と前記送風手段と前記水浄化手段と前記蓋部とを制御する制御手段とを備え、前記加湿手段は、略椀状の水槽と、この水槽に一定量の水を供給する水タンクと、前記水槽に回転自在に設けられた加湿フィルタ枠と、この加湿フィルタ枠に固定された円板状の加湿フィルタと、前記加湿フィルタ枠を回転させる回転手段とから形成され、前記加湿フィルタは一部が前記水槽に供給された水に常時つかるように設けられ、前記水浄化手段は、略筒形状の運搬経路と、この運搬経路内に活性種を発生する放電手段とから形成し、前記運搬経路は、前記送風手段の風路であって前記送風手段の下流側に開口する一方側の開口である第１の開口部と、前記送風手段の風路であって前記空気清浄手段と前記加湿手段との間に開口する他方側の開口である第２の開口部とを備え、この第２の開口部は、前記水槽の上部で、回転する加湿フィルタが水から離れる側に位置する構成とし、前記制御手段によって、前記蓋部を閉じた状態で前記加湿フィルタを回転させ前記送風手段によって送風すると共に前記放電手段によって活性種を発生させる水浄化運転を行い、前記空気清浄手段と前記加湿手段の間に格子部を設け、前記運搬経路の一部は、前記格子部の一部を兼ねていることを特徴としたものであり、これにより所期の目的を達成するものである。
【発明の効果】
【００１０】
本発明によれば、吸気口と排気口を有する本体ケースと、この本体ケース内には、空気清浄手段と水浄化手段と、前記排気口を開閉する蓋部と、前記吸気口から前記本体ケース内に吸気した空気を前記空気清浄手段を順次介して前記排気口へと送風する送風手段と、前記送風手段の風路であって前記空気清浄手段の下流側に設けた加湿手段と、この加湿手段と前記送風手段と前記水浄化手段と前記蓋部とを制御する制御手段とを備え、前記加湿手段は、略椀状の水槽と、この水槽に一定量の水を供給する水タンクと、前記水槽に回転自在に設けられた加湿フィルタ枠と、この加湿フィルタ枠に固定された円板状の加湿フィルタと、前記加湿フィルタ枠を回転させる回転手段とから形成され、前記加湿フィルタは一部が前記水槽に供給された水に常時つかるように設けられ、前記水浄化手段は、略筒形状の運搬経路と、この運搬経路内に活性種を発生する放電手段とから形成し、前記運搬経路は、前記送風手段の風路であって前記送風手段の下流側に開口する一方側の開口である第１の開口部と、前記送風手段の風路であって前記空気清浄手段と前記加湿手段との間に開口する他方側の開口である第２の開口部とを備え、この第２の開口部は、前記水槽の上部で、回転する加湿フィルタが水から離れる側に位置する構成とし、前記制御手段によって、前記蓋部を閉じた状態で前記加湿フィルタを回転させ前記送風手段によって送風すると共に前記放電手段によって活性種を発生させる水浄化運転を行い、前記空気清浄手段と前記加湿手段の間に格子部を設け、前記運搬経路の一部は、前記格子部の一部を兼ねていることを特徴とする構成にしたものである。
【００１１】
すなわち、第２の開口部は、水槽の上部で、回転する加湿フィルタが水から離れる側に位置する構成とし、制御手段によって、蓋部を閉じた状態で加湿フィルタを回転させ送風手段によって送風すると共に放電手段によって活性種を発生させる水浄化運転を行うものである。
【００１２】
したがって、活性種が、水槽の水中から出現した直後の保水している加湿フィルタ部分に、送風手段によって送風される。これにより、加湿フィルタに活性種が付着してから、加湿フィルタが再び水につかるまでの時間が長くなるので、活性種が加湿フィルタの水分に付着した臭気、菌と接触する時間が長くなり、有害物質を確実に浄化することが出来るという効果を奏する。
【００１３】
結果として、活性種により加湿フィルタに捕捉／吸収された空気中に含まれている臭気成分を酸化分解して除去することがきる。また、活性種により加湿フィルタに含まれる水分に対し殺菌を行うことができ、菌数の抑制だけでなく菌から発生する異臭を抑制することができる。また、運搬経路が格子部の一部を兼ねているものは、格子部に加えて新たに運搬経路を設けたものに比べ、風路抵抗が軽減され、空気清浄運転および加湿空気清浄運転時の運転音を低減できるという効果を奏する。
【図面の簡単な説明】
【００１４】
【図１】本発明の実施の形態１の全体構成を示す斜視図
【図２】同内部を示す概略縦断面図
【図３】同加湿手段を示す概略図
【図４】同放電手段を示す概略図
【図５】同内部を示す概略横断面図
【図６】同運搬経路を示す概略図
【図７】同内部を示す概略横断面図
【図８】運搬経路形状を変更した概略横断面図
【図９】その他の運搬経路を示す概略図
【発明を実施するための形態】
【００１８】
本発明の請求項１記載の加湿機能付空気清浄機は、吸気口と排気口を有する本体ケースと、この本体ケース内には、空気清浄手段と水浄化手段と、前記排気口を開閉する蓋部と、前記吸気口から前記本体ケース内に吸気した空気を前記空気清浄手段を順次介して前記排気口へと送風する送風手段と、前記送風手段の風路であって前記空気清浄手段の下流側に設けた加湿手段と、この加湿手段と前記送風手段と前記水浄化手段と前記蓋部とを制御する制御手段とを備え、前記加湿手段は、略椀状の水槽と、この水槽に一定量の水を供給する水タンクと、前記水槽に回転自在に設けられた加湿フィルタ枠と、この加湿フィルタ枠に固定された円板状の加湿フィルタと、前記加湿フィルタ枠を回転させる回転手段とから形成され、前記加湿フィルタは一部が前記水槽に供給された水に常時つかるように設けられ、前記水浄化手段は、略筒形状の運搬経路と、この運搬経路内に活性種を発生する放電手段とから形成し、前記運搬経路は、前記送風手段の風路であって前記送風手段の下流側に開口する一方側の開口である第１の開口部と、前記送風手段の風路であって前記空気清浄手段と前記加湿手段との間に開口する他方側の開口である第２の開口部とを備え、この第２の開口部は、前記水槽の上部で、回転する加湿フィルタが水から離れる側に位置する構成とし、前記制御手段によって、前記蓋部を閉じた状態で前記加湿フィルタを回転させ前記送風手段によって送風すると共に前記放電手段によって活性種を発生させる水浄化運転を行い、前記空気清浄手段と前記加湿手段の間に格子部を設け、前記運搬経路の一部は、前記格子部の一部を兼ねていることを特徴とする構成にしたものである。これにより、加湿フィルタに活性種が付着してから、加湿フィルタが再び水につかるまでの時間が長くなるので、活性種が加湿フィルタの水分に付着した臭気、菌と接触する時間が長くなり、有害物質を確実に浄化することが出来るという効果を奏し、運搬経路が格子部の一部を兼ねているものは、格子部に加えて新たに運搬経路を設けたものに比べ、風路抵抗が軽減され、空気清浄運転および加湿空気清浄運転時の運転音を低減できるという効果を奏する。
【００１９】
また、吸気口と排気口を有する本体ケースと、この本体ケース内には、空気清浄手段と水浄化手段と、前記排気口を開閉する蓋部と、前記吸気口から前記本体ケース内に吸気した空気を前記空気清浄手段を順次介して前記排気口へと送風する送風手段と、前記送風手段の風路であって前記空気清浄手段の下流側に設けた加湿手段と、この加湿手段と前記送風手段と前記水浄化手段と前記蓋部とを制御する制御手段とを備え、前記加湿手段は、略椀状の水槽と、この水槽に一定量の水を供給する水タンクと、前記水槽に回転自在に設けられた加湿フィルタ枠と、この加湿フィルタ枠に固定された円板状の加湿フィルタと、前記加湿フィルタ枠を回転させる回転手段とから形成され、前記加湿フィルタは一部が前記水槽に供給された水に常時つかるように設けられ、前記水浄化手段は、略筒形状の運搬経路と、この運搬経路内に活性種を発生する放電手段とから形成し、前記運搬経路は、前記送風手段の風路であって前記送風手段の下流側に開口する一方側の開口である第１の開口部と、前記送風手段の風路であって前記空気清浄手段と前記加湿手段との間に開口する他方側の開口である第２の開口部とを備え、この第２の開口部は、前記水槽の上部で、回転する加湿フィルタが水から離れる側に位置する構成とし、前記制御手段によって、前記蓋部を閉じた状態で前記加湿フィルタを回転させ前記送風手段によって送風すると共に前記放電手段によって活性種を発生させる水浄化運転を行い、前記運搬経路は、前記加湿フィルタ中心位置から扇形形状に広がり、前記第２の開口部は、略扇形形状部の加湿フィルタ側に複数の円弧に沿って並んでいることを特徴とする構成にしたものである。これにより、加湿フィルタに活性種が付着してから、加湿フィルタが再び水につかるまでの時間が長くなるので、活性種が加湿フィルタの水分に付着した臭気、菌と接触する時間が長くなり、有害物質を確実に浄化することが出来るという効果を奏し、回転する加湿フィルタに対し、第２の開口部が存在する運搬経路の末端形状を加湿フィルタの回転中心から略扇形形状に広げることで、加湿フィルタが１周する間に第２の開口部と加湿フィルタが接する割合が等しくなり、加湿フィルタに対し、活性種を均等に当てることができる。また、第２の開口部を、略扇形形状部の加湿フィルタ側に複数の円弧に沿って並ばせることで、第２の開口部から活性種が放出される量を均等にすることができる。すなわち、回転する加湿フィルタに対し、活性種を均等に当てることが出来るので、加湿フィルタの水分に付着した有害成分や臭気、菌を満遍なく浄化することが出来るという効果を奏する。
【００２０】
また、前記水浄化運転は、前記制御手段によって、前記加湿空気清浄運転または前記空気清浄運転停止直後から自動で開始する運転としてもよい。これにより、運転中に捕捉した菌に対し、菌が増殖する前に活性種をあてることになるので、加湿フィルタの水分での菌の増殖が抑えられ、加湿フィルタに付着する菌数を少なくなると共に、菌から発生する異臭が減ることで、このような菌や異臭が室内へ供給されて室内の清浄度が損なわれることがなくなるという効果を奏する。また、運転停止直後に水浄化運転を実施し、加湿フィルタ上の菌を浄化することで、再運転時までに本体ケース内の加湿手段近傍が高湿度になっても、菌が増殖せず異臭の発生が抑えられるという効果を奏する。
【００２１】
以下、本発明の実施の形態について図面を参照しながら説明する。
【００２２】
（実施の形態１）
図１および図２に示すように、本実施形態の加湿機能付空気清浄装置は、吸気口１と排気口２を有する本体ケース３と、この本体ケース３内に設けられた空気清浄手段４と、送風手段７と、加湿手段８と、水浄化手段５と、制御手段１０とを備えている。
【００２３】
本体ケースは、縦長四角箱形状で、本体ケース３の前面に吸気口１を備え、本体ケース３の天面に横長四角形状の排気口２を設けている。この排気口２には、開閉自在に設けられた蓋部６を備えている。この蓋部６は、横長四角形状で排気口２の本体ケース３の背面側に回転の中心を有し、第１のモーター２６によって、排気口２を開閉することが出来る。
【００２４】
空気清浄手段４は、本体ケース３の吸気口１近傍に設けられ、一例としては、空気清浄フィルタである。プリーツ形状の濾材部２２と、この濾材部２２を固定する四角筒形状の枠部２３とから形成している。この濾材部２２を空気が通過すると、空気中の粉塵等が捕集されるものである。
【００２５】
送風手段７は、空気清浄手段４と本体ケース３の排気口２との間の風路に位置し、ケーシング部１９と、モーター部２０と、ファン部２１とから形成している。ケーシング部１９は、スクロール形状で、側面に円形状の吸込口３７を備え、上面に横長四角形状の吐出口３８を設けている。このケーシング部１９には、モーター部２０が固定されている。このモーター部２０の軸部には、遠心送風タイプのファン部２１が固定されている。モーター部２０によってファン部２１が回転すると、本体ケース３外の空気が、吸気口１から本体ケース３内に吸気され、空気清浄手段４、送風手段７とを順次介して排気口２へと送風されるものである。
【００２６】
加湿手段８は、送風手段７の風路であって空気清浄手段４と吸込口３７の間に設けている。図３に示すように、加湿手段８は、略椀状の水槽９と、この水槽９に一定量の水を供給する水タンク１１と（図１参照）、水槽９に回転自在に設けられた加湿フィルタ枠１２と、この加湿フィルタ枠１２に固定された円板状の加湿フィルタ１３と、加湿フィルタ枠１２を回転させる回転手段１４とから形成されている。
【００２７】
水槽９は、横長四角形の略椀状で、それぞれの長辺上端から伸びた支持部２４を備えている。この支持部２４に、円板形状の加湿フィルタ枠１２の中心から外方へ伸びた２本の軸部２５が、回動自在に装着できる。これにより、円板状の加湿フィルタ１３を内方に固定した加湿フィルタ枠１２が、水槽９に回動自在となり、円板形状の加湿フィルタ１３は、周縁部の一部が水槽９に供給された水に常時つかるように設けられている。回転手段１４は、第２のモーター２７と、この第２のモーター２７の回転軸に設けられた円板形状の第１のギア２８と、この第１のギア２８と噛み合う加湿フィルタ枠１２に設けたリング形状の第２のギア２９とから形成されている。第２のモーター２７によって、第１のギア２８が回転し、この回転が第２のギア２９を介して加湿フィルタ枠１２およびが加湿フィルタ１３が回転する。
【００２８】
図２に記載した制御手段１０は、蓋部６と、送風手段７と、加湿手段８と、水浄化手段５とを制御し、空気清浄運転と、加湿空気清浄運転と、水浄化運転とである３種類の運転を行うものである。
【００２９】
空気清浄運転は、制御手段１０によって、蓋部６を開いた状態で加湿手段８を稼動させずに、つまり第２のモーター２７を回転させず、加湿フィルタ１３が回転しない状態で送風手段７によって送風する運転である。
【００３０】
加湿空気清浄運転は、制御手段１０によって、蓋部６を開いた状態で加湿手段８を稼動させ送風手段７によって送風する運転である。
【００３１】
水浄化運転では、水浄化手段５を運転させるものである。水浄化手段５は、図２に示すように略筒形状の運搬経路と、この運搬経路内にオゾンやヒドロキシルラジカルなどの活性種を発生する放電手段１６とから形成している。
【００３２】
放電手段１６は、運搬経路内に位置すると共に、図４に示すように、放電電極３０と、この放電電極３０に対向して配置された対向電極３１と、これらの対向電極３１と放電電極３０間に高電圧（この実施形態では３．５ＫＶ）を印加する高電圧印加部３２と、放電電極３０を冷却する冷却部として配置したペルチェ素子３３と、このペルチェ素子３３の熱を放熱する放熱フィン３４とを備えている。
【００３３】
ペルチェ素子３３は０．１Ｖ〜２．８Ｖ程度の電圧を印加するものであり、この実施形態では、放電電極３０側を低温に、放熱フィン３４側を高温にする。この放電電極３０部分で冷却されることで、結露すると、帯電微粒子水が発生することになり、帯電微粒子水にはオゾンやヒドロキシルラジカルなどの活性種が含まれる。
【００３４】
この帯電微粒子水中の活性種は臭気成分を酸化分解して除去することができると共に、細菌などと接触すると、その酸化作用により細菌が抑制され除菌することができるものである。
【００３５】
本実施形態における特徴は、水浄化手段５の運搬経路１５にある。すなわち、運搬経路１５は、送風手段７の風路であって送風手段７の下流側に開口する一方側の開口である第１の開口部１７と、送風手段７の風路であって空気清浄手段４と加湿手段８との間に開口する他方側の開口である第２の開口部１８とを備えている。この第２の開口部１８は、図５、図６に示すように、水槽９の上部で、回転する加湿フィルタ１３が水から離れる側に位置し、複数個存在するものである。
【００３６】
ここで、制御手段１０によって、水浄化運転を行うと、蓋部６を閉じた状態で、加湿フィルタ１３が回転し、放電手段１６によって活性種を発生させながら送風手段７によって送風するものである。
【００３７】
すなわち、第２の開口部１８は、水槽９の上部で、回転する加湿フィルタ１３が水から離れる側に位置する構成とし、制御手段１０によって、蓋部６を閉じた状態で加湿フィルタ１３を回転させ送風手段によって送風すると共に放電手段１６によって活性種を発生させる水浄化運転を行うものである。
【００３８】
したがって、活性種が、加湿フィルタ１３が水槽９の水中から出現した直後の保水している部分に、送風手段７によって送風される。これにより、加湿フィルタ１３に活性種が付着してから、加湿フィルタ１３が再び水につかるまでの時間が長くなるので、活性種が加湿フィルタ１３の分に付着した有害成分や臭気、菌と接触する時間が長くなり、有害物質を確実に浄化することが出来るという効果を奏する。
【００３９】
結果として、活性種により加湿フィルタ１３に捕捉／吸収された空気中に含まれている臭気成分を酸化分解して除去することがきる。また、活性種により加湿フィルタ１３に含まれる水分に対し殺菌を行うことができ、菌数の抑制だけでなく菌から発生する異臭を抑制することができる。
【００４０】
また、活性種が、水槽９の水中から出現した直後の保水している加湿フィルタ１３部分に、送風手段７によって送風されるので、最も保水量の多い加湿フィルタ１３部分に活性種が送風されるものである。これにより、活性種が加湿フィルタ１３に付着し易くなると考えられる。
【００４１】
また、制御手段１０は、蓋部６を開いた状態で加湿フィルタ１３を回転させずに送風手段７によって送風する空気清浄運転と、蓋部６を開いた状態で加湿フィルタ１３を回転させ送風手段７によって送風する加湿空気清浄運転とを行なうものである。ここで、加湿フィルタ１３の回転速度は、空気清浄運転および加湿空気清浄運転時と比較し、水浄化運転時は遅いものである。
【００４２】
すなわち、加湿空気清浄運転時と比較し、水浄化運転時には、加湿フィルタ１３に活性種が付着してから、加湿フィルタ１３が再び水につかるまでの時間が長くなるので、活性種が加湿フィルタ１３の水分に付着した有害成分や臭気、菌と接触する時間が長くなり、有害物質を確実に浄化することが出来るという効果を奏する。
【００４３】
また、送風手段７のファン部２１の回転速度は、空気清浄運転および加湿空気清浄運転時と比較し、水浄化運転時は遅いものである。
【００４４】
すなわち、送風手段か７ら送風される風量が少なくなるので、水浄化運転時の運転音を低減できるという効果を奏する。
【００４５】
また、空気清浄手段４と加湿手段８の間に格子部３５を設け、運搬経路１５一部は、格子部３５の一部を兼ねているものである。
【００４６】
具体的には、図７に示すように空気清浄手段４と加湿手段８をつなぐ送風経路の全面に、空気清浄手段４と加湿手段８とを分けるように格子を設け、この格子の一部が中空であり、活性種の通る運搬経路１５を備えた構造である。この格子は濾材部２２が加湿手段８へ倒れないようにする目的で設けたものであり、運搬経路１５は第１の開口部１７から、水槽９の上部で、回転する加湿フィルタ１３が水から離れる側まで伸びたものである。
【００４７】
これにより、運搬経路１５が格子部の一部を兼ねているものは、格子部３５に加えて新たに、運搬経路を設けたものに比べ、風路抵抗を低減できる。
【００４８】
また、水浄化運転は、制御手段１０によって、加湿空気清浄運転または空気清浄運転停止直後から自動で開始するものである。
【００４９】
具体的には、空気清浄運転または加湿空気清浄機運転中に空気清浄手段４から漏れ出た僅かな菌を捕集した加湿フィルタ１３に対し、運転停止直後から水浄化運転を行うこととなる。運転停止後から加湿フィルタ１３に含まれる水分がわずかに揮発することにより、本体ケース３内の加湿手段８近傍が高湿度になり、菌が増殖しやすい環境となるが、菌が増殖する前に活性種をあてることになるので、加湿フィルタ１３の水分での菌の増殖が抑えられ、加湿フィルタ１３に付着する菌数を少なくなると共に、菌から発生する異臭が減ることで、このような菌や異臭が室内へ供給されて室内の清浄度が損なわれることがなくなるという効果を奏する。
【００５０】
なお、運搬経路１５は、加湿フィルタ１３中心位置から略扇形形状に広がり、第２の開口部１８Ａは、略扇形形状部の加湿フィルタ１３側に複数の円弧に沿って並んでいるものでもよい。
【００５１】
具体的には、図８に示すように、第１の開口部１７から繋がった活性種の運搬経路１５は加湿フィルタ１３の回転中心付近まで略筒状形状で伸び、加湿フィルタ１３の回転中心位置から略扇形状に広がった形状である。第２の開口部１８Ａを備える略扇形形状部３６は、水槽の上部で、回転する加湿フィルタ１３が水から離れる側に位置する。図９に示すように、加湿フィルタ１３側に複数の第２の開口部１８Ａを備え、この第２の開口部１８Ａは円弧に沿って並ぶ構造とする。また、円弧に沿った第２の開口部１８Ａの幅は加湿フィルタの中心位置側は狭く、遠方側は広い形状である。これにより運搬経路で運ばれた活性種は加湿フィルタ１３中心部で全て放出されにくくなり、フィルタ遠方まで届きやすい構成となる。
【００５２】
すなわち、回転する加湿フィルタ１３に対し、活性種を均等に当てることが出来るので、加湿フィルタ１３の水分に付着した有害成分や臭気、菌を満遍なく浄化することが出来るという効果を奏する。
【産業上の利用可能性】
【００５３】
本発明にかかる加湿機能付空気清浄装置は、吸気口と排気口を有する本体ケースと、この本体ケース内には、空気清浄手段と水浄化手段と、前記排気口を開閉する蓋部と、前記吸気口から前記本体ケース内に吸気した空気を前記空気清浄手段を順次介して前記排気口へと送風する送風手段と、前記送風手段の風路であって前記吸気口と前記空気清浄手段の間に設けた加湿手段と、この加湿手段と前記送風手段と前記水浄化手段と前記蓋部とを制御する制御手段とを備え、前記加湿手段は、略椀状の水槽と、この水槽に一定量の水を供給する水タンクと、前記水槽に回転自在に設けられた加湿フィルタ枠と、この加湿フィルタ枠に固定された円板状の加湿フィルタと、前記加湿フィルタ枠を回転させる回転手段とから形成され、前記加湿フィルタは一部が前記水槽に供給された水に常時つかるように設けられ、前記水浄化手段は、略筒形状の運搬経路と、この運搬経路内に活性種を発生する放電手段とから形成し、前記運搬経路は、前記送風手段の風路であって前記送風手段の下流側に開口する一方側の開口である第１の開口部と、前記送風手段の風路であって前記空気清浄手段と前記加湿手段との間に開口する他方側の開口である第２の開口部とを備え、この第２の開口部は、前記水槽の上部で、回転する加湿フィルタが水から離れる側に位置する構成とし、前記制御手段によって、前記蓋部を閉じた状態で前記加湿フィルタを回転させ前記送風手段によって送風すると共に前記放電手段によって活性種を発生させる水浄化運転を行うことを特徴とする構成にしたものである。
【００５４】
すなわち、第２の開口部は、水槽の上部で、回転する加湿フィルタが水から離れる側に位置する構成とし、制御手段によって、蓋部を閉じた状態で加湿フィルタを回転させ送風手段によって送風すると共に放電手段によって活性種を発生させる水浄化運転を行うものである。
【００５５】
したがって、活性種が、水槽の水中から出現した直後の保水している加湿フィルタ部分に、送風手段によって送風される。これにより、加湿フィルタに活性種が付着してから、加湿フィルタが再び水につかるまでの時間が長くなるので、活性種が加湿フィルタの水分に付着した臭気、菌と接触する時間が長くなり、有害物質を確実に浄化することが出来るという効果を奏する。
【００５６】
結果として、活性種により加湿フィルタに捕捉／吸収された空気中に含まれている臭気成分を酸化分解して除去することがきる。また、活性種により加湿フィルタに含まれる水分に対し殺菌を行うことができ、菌数の抑制だけでなく菌から発生する異臭を抑制することを可能とするものである。
【００５７】
従って、家庭用や事務用などの、加湿機能付空気清浄装置等としての活用が期待されるものである。
【符号の説明】
【００５８】
１    吸気口
２    排気口
３    本体ケース
４    空気清浄手段
５    水浄化手段
６    蓋部
７    送風手段
８    加湿手段
９    水槽
１０    制御手段
１１    水タンク
１２    加湿フィルタ枠
１３    加湿フィルタ
１４    回転手段
１５    運搬経路
１６    放電手段
１７    第１の開口部
１８    第２の開口部
１８Ａ  第２の開口部
１９    ケーシング部
２０    モーター部
２１    ファン部
２２    濾材部
２３    枠部
２４    支持部
２５    軸部
２６    第１のモーター
２７    第２のモーター
２８    第１のギア
２９    第２のギア
３０    放電電極
３１    対向電極
３２    高電圧印加部
３３    ペルチェ素子
３４    放熱フィン
３５    格子部
３６    略扇形形状部
３７    吸込口
３８    吐出口
【図１】
0005899415.tif 000002
【図２】
0005899415.tif 000003
【図３】
0005899415.tif 000004
【図４】
0005899415.tif 000005
【図５】
0005899415.tif 000006
【図６】
0005899415.tif 000007
【図７】
0005899415.tif 000008
【図８】
0005899415.tif 000009
【図９】
0005899415.tif 000010